(57)【要約】      （修正有）【課題】システムキッチンのカウンタトップに開設された調理装置設置用開口に、本体ケースを確実に固定することができる調理装置を提供する。【解決手段】システムキッチンのカウンタトップに開設された調理装置設置用開口に嵌め込まれる本体ケース７と、本体ケース７を調理装置設置用開口に固定する固定手段１２とを備える調理装置において、固定手段１２は、本体ケース７の周壁９から調理装置設置用開口の内周面に向かって移動自在に設けられて調理装置設置用開口の内周面に当接することにより本体ケース７を固定状態とする当接部材１３と、当接部材１３の移動量を調整する調整具１４とを備える。【選択図】図３
2019074257.tif 000002
【特許請求の範囲】
【請求項１】
システムキッチンのカウンタトップに開設された調理装置設置用開口に嵌め込まれる本体ケースと、該本体ケースを前記調理装置設置用開口に固定する固定手段とを備える調理装置において、
前記固定手段は、前記本体ケースの周壁から前記調理装置設置用開口の内周面に向かって移動自在に設けられて前記調理装置設置用開口の内周面に当接することにより前記本体ケースを固定状態とする当接部材と、該当接部材の移動量を調整する調整具とを備えることを特徴とする調理装置。
【請求項２】
請求項１記載の調理装置において、
前記固定手段の前記当接部材は、一端が前記本体ケースの周壁に連結され、他端側が前記調理装置設置用開口の内周面に向かって移動自在とされていることを特徴とする調理装置。
【請求項３】
請求項１又は２記載の調理装置において、
前記調整具は、軸線が前記調理装置設置用開口の内周面に向って延びる姿勢のネジ軸と、前記本体ケースに設けられて前記ネジ軸を回動自在の螺合状態で支持する支持部とを備え、
前記ネジ軸は、回動に伴って前記本体ケースの周壁と前記当接部材との間で軸線方向に進出することにより、前記当接部材を押圧して該当接部材の移動量を調整することを特徴とする調理装置。
【請求項４】
請求項１又は２記載の調理装置において、
前記固定手段の前記当接部材は、前記本体ケースの周壁に連結する連結部と、該連結部から前記本体ケースの周壁に対向する平滑面とを備えて、前記連結部を支点として前記平滑面が前記本体ケースの周壁から離反する方向に搖動自在に設けられ、
前記調整具は、軸線が前記本体ケースの周壁に沿って延びるネジ軸と、前記本体ケースの周壁に設けられて前記ネジ軸を回動自在に支持する支持部と、前記ネジ軸に螺合状態で支持されて前記平滑面に摺接しつつ移動する移動部材とを備え、
前記ネジ軸の回動に伴って移動する移動部材が、前記平滑面を介して前記当接部材を押圧して該当接部材の移動量を調整することを特徴とする調理装置。
【請求項５】
請求項１又は２記載の調理装置において、
前記固定手段は、前記本体ケースの周壁と前記当接部材との間で前記調理装置設置用開口の内周面に向って移動自在の可動部材と、前記本体ケースに設けられて前記可動部材を移動自在に支持する支持部と、該支持部に設けられて前記可動部材を所望の位置で前記支持部に解除自在に固定する固定部材とを備え、
前記可動部材は、前記固定部材による固定を解除した状態で移動させることにより、前記当接部材を押圧して該当接部材の移動量を調整することを特徴とする調理装置。
【請求項６】
請求項１〜５の何れか１項記載の調理装置において、
前記当接部材は、一部又は全部が弾性材料を用いて構成されていることを特徴とする調理装置。
【発明の詳細な説明】
【技術分野】
【０００１】
本発明は、システムキッチンのカウンタトップに組み込む調理装置に関する。
【背景技術】
【０００２】
この種の調理装置は、内部に加熱部等が収容された箱形状の本体ケースを備えており、システムキッチンのカウンタトップに開設された調理装置設置用開口に本体ケースを落とし込むようにして設置される。
【０００３】
しかし、調理装置設置用開口と本体ケースの周壁との間には、通常は隙間が形成されているため、本体ケースを調理装置設置用開口に落とし込んだだけでは、調理装置がカウンタトップに固定されない。
【０００４】
そこで、調理装置設置用開口の内周面に当接する固定金具を本体ケースの周壁に設けたものが知られている（例えば、下記特許文献１参照）。このものでは、調理装置設置用開口に本体ケースを落とし込んだときに、本体ケースと調理装置設置用開口との間の隙間に固定金具が介入し、固定金具が調理装置設置用開口の内周面に当接する。
【０００５】
これにより、本体ケースの移動が固定金具により規制され、本体ケースが調理装置設置用開口に嵌め込まれた状態となって、調理装置がカウンタトップに固定される。
【先行技術文献】
【特許文献】
【０００６】
【特許文献１】特開２０１３−１０４５８７号公報
【発明の概要】
【発明が解決しようとする課題】
【０００７】
しかし、システムキッチンのカウンタトップに開設された調理装置設置用開口は、通常平面視四角形状であるが、多様な調理装置に対応させるために、比較的大きめな開口面積に形成されている場合がある。このため、調理装置設置用開口と本体ケースの周壁との間に、比較的大きな隙間が形成されることがある。
【０００８】
そして、調理装置設置用開口と本体ケースの周壁との間の隙間が比較的大きく形成されている場合には、当該隙間に固定金具が介入しても、固定金具が調理装置設置用開口の内周面に当接せず、カウンタトップへの調理装置の固定が不十分となる不都合があった。
【０００９】
上記の点に鑑み、本発明は、システムキッチンのカウンタトップに開設された調理装置設置用開口に、本体ケースを確実に固定することができる調理装置を提供することを目的とする。
【課題を解決するための手段】
【００１０】
かかる目的を達成するために、本発明は、システムキッチンのカウンタトップに開設された調理装置設置用開口に嵌め込まれる本体ケースと、該本体ケースを前記調理装置設置用開口に固定する固定手段とを備える調理装置において、前記固定手段は、前記本体ケースの周壁から前記調理装置設置用開口の内周面に向かって移動自在に設けられて前記調理装置設置用開口の内周面に当接することにより前記本体ケースを固定状態とする当接部材と、該当接部材の移動量を調整する調整具とを備えることを特徴とする。
【００１１】
本発明の固定手段は、調整具によって、当接部材を調理装置設置用開口の内周面に当接する位置まで移動させることができる。これにより、調理装置設置用開口と本体ケースの周壁との間の隙間が比較的大きく形成されている場合には、調整具によって当接部材の位置を調整して、当接部材を調理装置設置用開口の内周面に当接させることができ、調理装置設置用開口に、本体ケースを確実に固定することができる。
【００１２】
また、本発明において、前記固定手段の前記当接部材は、一端が前記本体ケースの周壁に連結され、他端側が前記調理装置設置用開口の内周面に向かって移動自在とされていることを特徴とする。
【００１３】
例えば、本体ケースを調理装置設置用開口に落とし込むようにして（本体ケースの底側から調理装置設置用開口に挿入して）カウンタトップに嵌め込む場合、当接部材の一端として下端を本体ケースの周壁に連結し、他端側として上端側を前記調理装置設置用開口の内周面に向かって移動自在とする。
【００１４】
これにより、当接部材の連結された下端側が本体ケースの周壁に近接或いは密着する状態を形成することができる。そして、本体ケースを調理装置設置用開口に落とし込むとき、本体ケースの周壁に近接或いは密着している当接部材の下端側から調理装置設置用開口に挿入することができ、当接部材と調理装置設置用開口との不用意な接触を防止して本体ケースの調理装置設置用開口への設置作業を円滑に行うことができる。
【００１５】
しかも、当接部材の上端側は、調整具によって予め調理装置設置用開口の内周面に当接する位置に移動させておくことができるので、調理装置設置用開口内の本体ケースは、当接部材の上端側が調理装置設置用開口の内周面に当接して確実に固定される。
【００１６】
本発明の態様の一つとして、前記調整具は、軸線が前記調理装置設置用開口の内周面に向って延びる姿勢のネジ軸と、前記本体ケースに設けられて前記ネジ軸を回動自在の螺合状態で支持する支持部とを備えることが挙げられる。これにより、前記調整具は、前記ネジ軸が、回動に伴って前記本体ケースの周壁と前記当接部材との間で軸線方向に進出することにより、前記当接部材を押圧して該当接部材の移動量を調整する構成となる。
【００１７】
これによれば、ネジ軸が直接当接部材を押圧して移動させる構成であるため、部品点数が少なく製造容易とすることができ、コストの増加も抑えることができる。
【００１８】
また、本発明の他の態様として、前記固定手段の前記当接部材は、前記本体ケースの周壁に連結する連結部と、該連結部から前記本体ケースの周壁に対向する平滑面とを備えて、前記連結部を支点として前記平滑面が前記本体ケースの周壁から離反する方向に搖動自在に設けられ、前記調整具は、軸線が前記本体ケースの周壁に沿って延びるネジ軸と、前記本体ケースの周壁に設けられて前記ネジ軸を回動自在に支持する支持部と、前記ネジ軸に螺合状態で支持されて前記平滑面に摺接しつつ移動する移動部材とを備えることが挙げられる。これにより、前記調整具は、前記ネジ軸の回動に伴って移動する移動部材が、前記平滑面を介して前記当接部材を押圧して該当接部材の移動量を調整する構成となる。
【００１９】
上記構成によると、移動部材が当接部材の前記他端側（当接部材の移動側）の位置にあるときは、当接部材の本体ケースからの離間距離が小さいが、移動部材が当接部材の一端側（本体ケースへの連結側）の位置に移動すると、当接部材の本体ケースからの離間距離が大きくなる。ネジ軸を回転させると、回転方向に応じて移動部材が当接部材の平滑面に摺接しつつ何れかに移動する。移動部材の位置を変更することにより、移動部材の位置に応じて当接部材が移動する。
【００２０】
そして、ネジ軸を、その軸線が本体ケースの周壁に沿って、例えば上下方向に延びる姿勢で設けることで、当接部材を移動させる際のネジ軸の回転操作が容易に行えるようにすることができる。即ち、一般にネジ軸は、回転操作を行う際にドライバー等の工具を差し込むためのネジ頭が設けられるが、ネジ軸は、軸線が上下方向に延びる姿勢であるので、ネジ頭がネジ軸の上端（又は下端）に設けられることとなる。これにより、当接部材を移動させる際のネジ軸の回転操作は、ネジ頭が設けられる上方（又は下方）から行うことができるので、本体ケースの内側から有壁を貫く方向に延びるネジ軸を回転操作する場合に比べて調整作業が容易となる。
【００２１】
また、上述したもの以外の本発明の態様として、前記固定手段は、前記本体ケースの周壁と前記当接部材との間で前記調理装置設置用開口の内周面に向って移動自在の可動部材と、前記本体ケースに設けられて前記可動部材を移動自在に支持する支持部と、該支持部に設けられて前記可動部材を所望の位置で前記支持部に解除自在に固定する固定部材とを備えることが挙げられる。これにより、前記固定手段は、前記固定部材による固定を解除した状態で前記可動部材を移動させることにより、前記可動部材が、前記当接部材を押圧して該当接部材の移動量を調整する構成となる。
【００２２】
これによれば、固定部材による固定を解除した状態であれば、可動部材を所望の位置に迅速に移動させることができる。よって、可動部材の移動操作により、調理装置設置用開口の内周面に当接する位置に当接部材を迅速に移動させることができる。
【００２３】
また、本発明における前記当接部材は、一部又は全部が弾性材料を用いて構成されていることが好ましい。これによれば、当接部材が調理装置設置用開口の内周面に弾発的に当接するので、調整具による当接部材の位置調整に多少の誤差が生じても、当該誤差を当接部材の弾性により吸収することができ、本体ケースを調理装置設置用開口に確実に固定することができる。
【図面の簡単な説明】
【００２４】
【図１】本発明の実施形態のガスコンロを示す平面図。
【図２】本実施形態のガスコンロの本体ケースの設置状態を示す説明的斜視図。
【図３】本実施形態のガスコンロの本体ケースの一部と固定手段の説明的斜視図。
【図４】本実施形態における固定手段の説明的断面図。
【図５】本発明における固定手段の変形例を示す説明的断面図。
【図６】本発明における固定手段の他の変形例を示す説明的斜視図。
【発明を実施するための形態】
【００２５】
本発明の実施形態を図面に基づいて説明する。図１は、本発明の調理装置の実施形態であるガスコンロ１を示している。ガスコンロ１は、システムキッチンのカウンタトップ２に組み込まれ、上面が矩形板状の天板３により覆われる。天板３上には、ガスコンロ１の調理のための構成部品であるコンロバーナ４、五徳５、及び操作つまみ６が露出する。調理の際には、五徳５上に鍋等の調理容器を載置してコンロバーナ４により加熱する。コンロバーナ４の点火・消火、及び火力調節は、操作つまみ６の操作により行う。
【００２６】
ガスコンロ１は、本体ケース７を備えている。本体ケース７は、図２に示すように、底部８と、底部８の周縁から起立する周壁９と、周壁９の上縁から外側に張り出すフランジ部１０とを備えている。
【００２７】
そして、図１に示すように、本体ケース７は、カウンタトップ２に形成された調理装置設置用開口１１に落とし込まれ、カウンタトップ２の調理装置設置用開口１１の外周上面にフランジ部１０が着座して、カウンタトップ２に保持された状態となる。
【００２８】
カウンタトップ２の調理装置設置用開口１１は、その開口形状が本体ケース７の周壁９の平面視形状と同様に平面視矩形状に形成されているものの、ガスコンロ１の本体ケース７の胴回り寸法（周壁９外側全周の長さ寸法）よりも大き目に開口している。このため、調理装置設置用開口１１の内周面１１ａ（図４参照）と本体ケース７の周壁９との間には、隙間が形成され、このままでは、本体ケース７に位置ズレやガタツキが生じるおそれがある。
【００２９】
そこで、本体ケース７の周壁９の一部には固定手段１２が設けられている。固定手段１２は、図３及び図４に示すように、当接部材１３と、調整ネジ１４とを備えている。当接部材１３は、帯板状のバネ材（弾性材料）により形成されている。当接部材１３は、本体ケース７の周壁９にねじ止めされた連結部１５を下端部に備え、上方に向かって本体ケース７の周壁９から次第に離反する傾斜姿勢とされている。これにより、当接部材１３の上端側が本体ケース７の周壁９に向かって弾発的に移動自在とされている。なお、当接部材１３は、本体ケース７の外側に向かって膨出するような湾曲形状部分を、上下方向の略全長或いは部分的に備えていてもよい。
【００３０】
また、当接部材１３の上端部に対応する本体ケース７のフランジ部１０には、切欠き１６が形成されている。この切欠き１６を介して当接部材１３の位置が確認でき、これによって調理装置設置用開口１１の内周面１１ａへの当接部材１３の当接状態を確認することができる。
【００３１】
図４に示すように、調整ネジ１４は、ネジ軸１４ａと、工具によって回転操作を行うためのネジ頭１４ｂとを備えている。調整ネジ１４のネジ軸１４ａは、本体ケース７の周壁９に形成された孔状の支持部１７に螺合している。調整ネジ１４のネジ頭１４ｂは、本体ケース７の周壁９の外側に配置されている。
【００３２】
調整ネジ１４のネジ軸１４ａは、その軸方向が水平となる姿勢で本体ケース７の周壁９に交差しており、支持部１７は、ネジ軸１４ａの回転により調整ネジ１４のネジ頭１４ｂが水平方向に進出するように、調整ネジ１４を支持している。なお、調整ネジ１４と支持部１７とは本発明の調整具を構成している。
【００３３】
図３及び図４に示すように、当接部材１３には、調整ネジ１４のネジ頭１４ｂに対応する位置に、ネジ頭１４ｂよりも小径で且つ上下方向に長径となる楕円形状の貫通孔１８が形成されている。この貫通孔１８は、ドライバー等の工具を用いて調整ネジ１４を回転操作するときに、工具を貫通させて工具先端をネジ頭１４ｂに係止連結するためのものである。貫通孔１８がネジ頭１４ｂより小径であることにより、ネジ軸１４ａの進出移動に応じてネジ頭１４ｂが当接部材１３を押圧する。このとき、当接部材１３の搖動に伴いネジ頭１４ｂに対して貫通孔１８の位置がずれるが、貫通孔１８が楕円形状であることにより、常にネジ頭１４ｂを貫通孔１８を介して臨むことができる。
【００３４】
上記構成の固定手段１２によれば、図４に示すように、ネジ軸１４ａを回転させるだけで当接部材１３の移動量を精度よく調整することができる。そして、当接部材１３をカウンタトップ２の調理装置設置用開口１１の内周面１１ａに当接させることにより、本体ケース７を調理装置設置用開口１１に固定することができる。
【００３５】
また、当接部材１３がバネ材であることにより、当接部材１３の位置調整に多少の誤差が生じても、当該誤差を当接部材１３の弾性により吸収することができ、本体ケース７を調理装置設置用開口１１に確実に固定することができる。
【００３６】
なお、調整ネジ１４は、図示しないが、ネジ頭１４ｂを本体ケース７の内部に配置して、本体ケース７の内部から工具による調整ネジ１４の回転操作を行い、調整ネジ１４の先端を本体ケース７の周壁９から進出させて当接部材１３を押圧するように設けてもよい。この場合には、当接部材１３に工具を通過させるための貫通孔１８が不要となるが、本体ケース７の内部にはガスコンロ１の構成部品が収容されているため、これらの部品への干渉を防止して調整ネジ１４の回転操作が行えるスペースを確保する必要がある。
【００３７】
また、本発明による固定手段は、上記の構成に限らない。その変形例を挙げると、図５に示すように、固定手段２０は、当接部材２１と、昇降部材２２（移動部材）と、調整ネジ２３とを備えている。当接部材２１は、帯板状のバネ材（弾性材料）により形成されており、本体ケース７の周壁９にねじ止めされた連結部２４から上方に向かって傾斜する姿勢とされて、その上端側が弾発的に移動自在となっている。
【００３８】
当接部材２１の本体ケース７の周壁９に対向する面は、平滑面となっており、昇降部材２２の先端が当接部材２１の平滑面に接している。昇降部材２２は、本体ケース７の周壁９に形成された孔部２５を介してその基端部が調整ネジ２３のネジ軸２３ａに螺合しており、ネジ軸２３ａの回転に応じて上下動する。本体ケース７の周壁９に形成された孔部２５は、昇降部材２２の上下動する領域に対応し、昇降部材２２の上下動を妨げないようになっている。
【００３９】
調整ネジ２３は、ネジ軸２３ａが上下方向に延び、上端にネジ頭２３ｂが配置されて、支持フレーム２６（支持部）に回動自在に支持されている。支持フレーム２６は、当接部材２１と共に本体ケース７の周壁９にねじ止めされている。なお、本変形例においては、昇降部材２２と、調整ネジ２３と、支持フレーム２６（支持部）とによって、本発明の調整具を構成している。
【００４０】
調整ネジ２３を回転させると、ネジ軸２３ａに沿って昇降部材２２が上下動し、これによって、当接部材２１の上端側が移動する。昇降部材２２の位置に応じて、当接部材２１と本体ケース７の周壁９との間の距離が変化し、これによって、当接部材２１の移動量が調整される。
【００４１】
即ち、調整ネジ２３を反時計回りに回転させると、昇降部材２２が下方に移動する。このとき、当接部材２１の連結部２４に向かって移動する昇降部材２２が当接部材２１を本体ケース７の周壁９から離反させる方向に押圧し、これに伴って当接部材２１が移動する。本体ケース７のフランジ部１０には、当接部材２１に対応する切欠き１６が形成されており、切欠き１６を介して当接部材２１の移動量が確認できる。
【００４２】
この変形例による固定手段２０を採用することにより、ネジ軸２３ａを回転させて容易に当接部材２１の移動量を精度よく調整することができる。そして、当接部材２１をカウンタトップ２の調理装置設置用開口１１の内周面１１ａに当接させることにより、本体ケース７を調理装置設置用開口１１に固定することができる。また、当接部材２１がバネ材であることにより、当接部材２１の位置調整に多少の誤差が生じても、当該誤差を当接部材２１の弾性により吸収することができ、本体ケース７を調理装置設置用開口１１に確実に固定することができる。更に、調整ネジ２３のネジ軸２３ａが上下に延びる姿勢に設けられていて、ネジ頭２３ｂが上端に配置されているので、本体ケース７の上方から調整ネジ２３の回転操作を行うことができ、その作業が極めて容易である。
【００４３】
また、他の変形例として、図６に示すように、固定手段３０は、当接部材３１と、可動部材３２と、ネジ部材３３（固定部材）とを備えている。当接部材３１は、帯板状のバネ材（弾性材料）により形成されており、本体ケース７の周壁９にねじ止めされた連結部３４から上方に向かって傾斜する姿勢とされて、その上端側が弾発的に移動自在となっている。
【００４４】
可動部材３２は、硬質の帯板状に形成されており、支持フレーム３５（支持部）の上面に、ネジ部材３３を介して連結された状態で支持されている。ネジ部材３３は、可動部材３２に形成された長穴３６を介して支持フレーム３５に螺着されている。長穴３６は、可動部材の移動方向に沿って延びる形状に形成されている。可動部材３２は、ネジ部材３３を緩めた状態で、支持フレーム３５の上面を移動自在とされ、ネジ部材３３を緩めた状態で支持フレーム３５に締結されて固定される。
【００４５】
可動部材３２の先端部分は、本体ケース７のフランジ部１０の上面に沿って移動する。当接部材３１の上端は切欠き１６を介してフランジ部１０の上方に突出しており、可動部材３２の先端縁は、フランジ部１０の上方に突出する当接部材３１の上端を押圧する。
【００４６】
なお、本変形例においては、可動部材３２と、ネジ部材３３（固定部材）と、支持フレーム３５（支持部）とによって、本発明の調整具を構成している。
【００４７】
この変形例による固定手段３０を採用することにより、ネジ部材３３による固定を解除した可動部材３２を移動させて迅速に当接部材３１を所望の位置まで移動させることができる。そして、当接部材３１をカウンタトップ２の調理装置設置用開口１１の内周面１１ａに当接させることにより、本体ケース７を調理装置設置用開口１１に固定することができる。また、当接部材３１がバネ材であることにより、当接部材３１の位置調整に多少の誤差が生じても、当該誤差を当接部材３１の弾性により吸収することができ、本体ケース７を調理装置設置用開口１１に確実に固定することができる。更に、ネジ部材３３を回転させる作業が上方から行えるので、その作業を極めて容易に行うことができる。
【００４８】
また、本実施形態及び変形例で採用した当接部材１３，２１，３１は、何れも上下方向に延びる姿勢に設けられていて、下端が本体ケース７に連結され、上端側が移動自在に設けられている。しかし、本発明における当接部材は、これに限るものではなく、図示しないが、上端が本体ケース７に連結され、下端側が移動自在に設けられていてもよい。或いは、本発明における当接部材は、横方向に延びる姿勢に設けることも妨げるものではなく、一端が本体ケース７に連結され、他端側が移動自在に設けられていればよい。
【００４９】
また、本実施形態においては、ガスコンロ１について説明したが、本発明は、ガスコンロ１に限るものではなく、例えば、電磁調理器や電気コンロ等の他の調理装置にも採用できる。
【符号の説明】
【００５０】
１…ガスコンロ（調理装置）、２…カウンタトップ、７…本体ケース、１１…調理装置設置用開口、１１ａ…内周面、１２，２０，３０…固定手段、１３，２１，３１…当接部材、１４ａ，２３ａ…ネジ軸、１５，２４，３４…連結部、１７…支持部、２２…昇降部材（移動部材）、２６，３５…支持フレーム（支持部）、３２…可動部材、３３…ネジ部材（固定部材）。
【図１】
2019074257.tif 000003
【図２】
2019074257.tif 000004
【図３】
2019074257.tif 000005
【図４】
2019074257.tif 000006
【図５】
2019074257.tif 000007
【図６】
2019074257.tif 000008